(57)【要約】      （修正有）【課題】かぎ針のフック部から糸外しが安定して行われ、むらのない良好な仕上がりの刺繍ができるかぎ針を提供する。【解決手段】かぎ針１０の針幹部１０ａの先端部が針幹部１０ａの厚さを漸減した肉薄幹部であり、肉薄幹部の先端に円錐状突起部１２が設けられ、円錐状突起部１２にフック先端部１４を設けてフック部１３が形成され、フック部１３の糸が引っ掛かり保持する底部１１を略Ｕ字状とし、底部１１から円錐状突起部１２とフック先端部１４とにかけてフック先端部１４の外側端１４ａ方向に傾斜した傾斜面１６を形成したかぎ針である。【選択図】図１
2008036316.tif 000002
【特許請求の範囲】
【請求項１】
かぎ針において、かぎ針の針幹部の先端部を該針幹部の厚さを漸減した肉薄幹部とし、該肉薄幹部の先端に円錐状突起部を設け、かつ該円錐状突起部にフック先端部を設けて前記針幹部の先端にフック部を形成し、該フック部の糸が引っ掛かり保持する底部を略Ｕ字形状とし、該底部から前記円錐状突起部と前記フック先端部とにかけて前記フック先端部の外側端方向に傾斜した傾斜面を設けたことを特徴とするかぎ針。
【請求項２】
前記傾斜面が、前記フック先端部の最先端部方向に傾斜していることを特徴とする請求項１に記載のかぎ針。
【請求項３】
前記傾斜面が、平面又は曲面であることを特徴とする請求項１又は２に記載のかぎ針。
【発明の詳細な説明】
【技術分野】
【０００１】
本発明は主にサガラ刺繍（環縫）に用いられるかぎ針に関し、詳しくはサガラ刺繍におけるかぎ針からの糸外しが安定し、むらのない仕上がりが可能なかぎ針に関する。
【背景技術】
【０００２】
従来のかぎ針には、製本用の綴じ機や編機等に使用されるものがあり、図３（ａ），（ｂ）は製本用の綴じ機に使用されるかぎ針であり、針本体１の頭部には円錐状先端部２が形成され、この円錐状先端部２に狭幅部３を介して舌片部４がＵ字状に折り返されて突出し、針本体１と舌片部４とによるかぎ目５が形成されて糸を引っ掛けるフック部が形成されている。このかぎ目５の巾は糸の巾に略相当するが、糸の流れを保証するためにかぎ目５の巾が僅かに広めに設定されている。フック部に引っ掛かった糸はＵ形ループを形成して保持され、糸のＵ形ループの横巾は狭幅部３を設けることにより狭くすることができる。Ｕ形ループの横巾が広い場合は糸を引き抜く際の摩擦が大きくなり、糸が切れるおそれがあるが、Ｕ形ループの横巾を狭くすることにより、引き抜く際の摩擦を軽減することが可能である（例えば、特許文献１参照）。
【０００３】
次に、サガラ刺繍に使用される従来のかぎ針について、図４（ａ）〜（ｃ）を参照し説明する。この種のかぎ針は、かぎ針本体６の先端部にフック部７が形成され、フック部７は針幹部６ａの先端を細幅幹部６ｂとし円錐状突起部８が設けられ、円錐状突起部８に折り返されたフック先端部９が設けられ、糸が引っ掛かるかぎ目６ｃが形成されている。フック先端部９は、図４（ｃ）に示すように、糸Ｓが掛け渡される糸掛溝６ｄがフック部７の両側部に形成され、６ｂ′が細幅幹部６ｂ側であり、９′がフック先端部側である。また、かぎ針６を生地から引き抜く際、かぎ針６のフック先端部９を生地に引っ掛けないようにするためには、針幹部６ａの外側端からフック先端部９のかぎ目６ｃ側側端までの巾Ｄを十分広く形成する必要がある。この巾Ｄが狭い場合、かぎ目６ｃの巾が広がるもののかぎ針６を生地から引く抜く際、フック先端部９が生地に引っ掛かるおそれがあり、生地荒れ等が発生するし、巾Ｄを広くすれば、かぎ目６ｃ及び糸掛溝６ｄの巾が狭くなり糸外しが不安定になるといった問題が発生する。
【０００４】
因みに、サガラ刺繍（環縫）には、チェーンステッチとループステッチとがあり、チェーンステッチは、図６の工程順（１）〜（１０）に示したように、前後のループを鎖状に平面的に繋いでいく縫い目である。工程順（１）は、糸Ｓをかぎ針６のフック部７に引っ掛けて生地Ｃから引き抜き、かぎ針６を上死点まで上昇させる。続いて、工程順（２）〜（５）では、ルーパーｌの回転を停止させた後、ルーパーｌを時計回りに回転させる過程で、かぎ針６を降下させて生地Ｓに通過させルーパーｌの針挿入孔ｌａに挿入し、その降下過程でフック部７に引っ掛かった糸Ｓを外し、かぎ針６を降下させる。工程順（６）〜（10）の過程で、ルーパーｌの時計回りの回転により、かぎ針６の針幹部に糸Ｓを巻き付け、かぎ針６を上昇させることによって、糸Ｓをかぎ針６のフック部７に引っ掛け、かぎ針６をループ内を上死点まで通過させてループＰを形成し、ルーパーｌを反時計回りに回転させて初期位置に戻し、生地Ｃを矢印Ｙ方向に移動させることによって、ループＰ内をかぎ針６に引っ掛かって糸Ｓが通過し、再び同様の動作を繰り返すことにより、新たなループが形成されてチェーンループが形成される。
【０００５】
ループステッチは、ループを一つ一つ単独で倒立した立体的な縫い目（タオル目）になっており、図７の工程順（１）〜（１０）に説明する。工程順（１）は、かぎ針６が上死点に達し、生地ＣにはループＰが形成され、生地が移動した状態を示している。工程順（２）〜（５）は、かぎ針６が上死点から降下して生地Ｃに差し込まれ、停止したルーパーｌの針挿入孔ｌａに挿入され、このかぎ針６が降下する過程で、ルーパーｌを時計回りに回転させることにより糸Ｓがかぎ針６の針幹部に巻き付けられる。続いて、工程順（６）〜（10）に示すように、ルーパーｌを時計回りに回転させながらかぎ針６を上昇させることによって、糸Ｓがフック部７に引っ掛かり、かぎ針６を生地Ｃを通過させて上死点まで上昇させることによりループＰが生地Ｃに形成される。この過程で、ルーパーｌは回転を停止し、反時計回りに回転して初期位置に戻し、生地Ｓは矢印Ｙ方向に移動してフック部７からループＰ１  を引き抜き、同様の動作を繰り返してループステッチが形成される。
【０００６】
【特許文献１】特開昭６３−１６２２９０号公報（明細書全文，全図）
【発明の開示】
【発明が解決しようとする課題】
【０００７】
図７から明らかなように、ループステッチでは、かぎ針のフック部から一定のタイミングで糸が抜けないと、ループの大きさやループの倒立の角度にばらつきが生じ、綺麗な刺繍柄にならない。従って、仕上がりの良好な刺繍にするには、かぎ針のフック部から糸外しが一定のタイミングで安定して行われる必要がある。また、フック部からの糸外しは、図５（ａ）に示したように、フック部７に糸Ｓを引っ掛けて引き出し、かぎ針６が上死点まで上昇した後、かぎ針６が降下する過程で行われる。しかし、図５（ｂ）に示すように、従来、かぎ針６が上死点から僅かに下がった時点で糸Ｓが緩み、かぎ針６の先端部が縒られた糸Ｓの縒り目（糸Ｓａ，Ｓｂ）の間に差し込まれてかぎ針６が貫通することがあった。殊に、縫い目の間隔の狭いループステッチでは、かぎ針９の先端部に糸Ｓが引っ掛かる確率が高く、このような引っ掛かりがあると、糸が切れない場合、チェーンステッチの縫い目が生地に形成され、仕上がりの悪い刺繍となるおそれがあった。
【０００８】
本発明は、上述のような問題点に鑑みなされたものであり、かぎ針のフック部から糸外しが安定して行われ、むらのない良好な仕上がりの刺繍ができるかぎ針を提供することを目的とする。
【課題を解決するための手段】
【０００９】
本発明は、上記課題を達成したものであり、請求項１の発明は、かぎ針において、かぎ針の針幹部の先端部を該針幹部の厚さを漸減した肉薄幹部とし、該肉薄幹部の先端に円錐状突起部を設け、かつ該円錐状突起部にフック先端部を設けて前記針幹部の先端にフック部を形成し、該フック部の糸が引っ掛かり保持する底部を略Ｕ字形状とし、該底部から前記円錐状突起部と前記フック先端部とにかけて前記フック先端部の外側端方向に傾斜した傾斜面を設けたことを特徴とするかぎ針である。
【００１０】
また、請求項２の発明は、前記傾斜面が、前記フック先端部の最先端部方向に傾斜していることを特徴とする請求項１に記載のかぎ針である。
【００１１】
また、請求項３の発明は、前記傾斜面が、平面又は曲面であることを特徴とする請求項１又は２に記載のかぎ針である。
【発明の効果】
【００１２】
請求項１の発明では、かぎ針において、かぎ針の針幹部の先端部を該針幹部の厚さを漸減した肉薄幹部とし、該肉薄幹部の先端に円錐状突起部を設け、かつ該円錐状突起部にフック先端部を設けて前記針幹部の先端にフック部を形成し、該フック部の糸が引っ掛かり保持する底部を略Ｕ字形状とし、該底部から前記円錐状突起部と前記フック先端部とにかけて前記フック先端部の外側端方向に傾斜した傾斜面を設けたことを特徴とするものであるのであり、かぎ針のフック部に引っ掛かけた糸を外す際に、糸が傾斜面に沿って移動し針中心軸よりフック先端部の外側端方向に片寄った位置に引き出され、円錐状突起部の先端は針中心軸に沿って降下するが、糸はその針中心軸に沿った円錐状突起部の先端直下を避けるように引き出され、かぎ針を降下させても円錐状突起部の先端が糸を貫通することがなく、糸の引っ掛かりによるチェーンが生地に形成されることがなく、仕上がりの良好な刺繍となる利点がある。また、かぎ針のフック部から一定のタイミングで糸が抜け、生地に形成されたループの大きさやループの倒立の角度が一定になり、綺麗な仕上がりの刺繍となる利点がある。
【００１３】
また、請求項２の発明では、前記傾斜面が、前記フック先端部の最先端部方向に傾斜していることを特徴とする請求項１に記載のかぎ針であるので、フック部に引っ掛かった糸がフック先端部の外側端方向に移動し易く、かぎ針のフック部からの糸外しが一層安定する利点がある。
【００１４】
また、請求項３の発明では、前記傾斜面が、平面又は曲面であることを特徴とする請求項１又は２に記載のかぎ針であるので、フック部に引っ掛かった糸が傾斜面に沿ってフック先端部の外側端方向に移動し、針中心軸線上を避けるように糸が引き出され、かぎ針が降下した時にかぎ針の先端が糸に引っ掛かるのを防止することができる利点がある。
【発明を実施するための最良の形態】
【００１５】
以下、本発明のかぎ針の実施の形態について図面を参照し説明する。先ず、図１（ａ）〜（ｃ）は本発明のかぎ針の一実施形態を示し、（ａ）はその正面図、（ｂ）はその側面図、（ｃ）はそのＺ−Ｚ矢視断面図である。図２（ａ）は本実施形態のかぎ針が糸を引き出した状態を示し、（ｂ）はかぎ針が僅かに降下した状態を示す説明図である。本実施形態は、従来のかぎ針が糸保持部に糸掛溝が形成されていたのに対し、糸掛溝を設けることなく、かぎ針の糸保持部に対応する部分に糸が移動し易いように傾斜面を形成したものであり、以下、本実施形態を詳細に説明する。
【００１６】
本実施形態のかぎ針は、図１（ａ）〜（ｃ）に示すように、かぎ針１０が針幹部１０ａとその先端部にフック部１３とからなり、針幹部１０ａの先端部を針幹部１０ａの厚さを漸減した肉薄幹部１０ｂとし、肉薄幹部１０ｂの先端に円錐状突起部１２を設け、円錐状突起部１２に肉薄幹部１０ｂ方向に折り返してかぎ目１５を形成するフック先端部１４が設けられ、フック部１３が針幹部１０ａの先端部に形成されている。糸Ｓはフック部１３のかぎ目１５に引っ掛かり、糸Ｓが保持されるフック部１３の底部１１は略Ｕ字形状を呈している。フック部１３の糸保持部には、従来のかぎ針のように、フック部に糸掛溝を設けることなく、図１（ｃ）に示すように、底部１１から円錐状突起部１２とフック先端部１４とにかけてフック先端部１４の外側端１４ａ方向に傾斜した傾斜面１６が形成されている。
【００１７】
傾斜面１６は、底部１１近傍から円錐状突起部１２の側面１２ａとフック先端部１４の側面１４ｂとにかけてフック先端部１４の外側端１４ａ方向に傾斜した面であり、傾斜面１６は、円錐状突起部１２とフック先端部１４とのそれぞれの両側面に形成されている。このような傾斜面１６をフック部１３の両面に形成することによって、フック部１３に引っ掛かけた糸は、図１（ｃ）に矢印で示したように、フック先端部１４の外側端１４ａ方向に移動して針中心軸Ｌａから片寄らせることが可能である。さらに、傾斜面１６は、図１（ａ）は傾斜面１６の傾きを補助線Ｌｂで示したように、傾斜面１６を針中心軸Ｌａに対して針幹部１０ａの上端部側方向に傾斜している。このように、傾斜面１６は、フック先端部１４の最先端部方向に傾斜した傾きが与えられることによって、フック部１３に引っ掛かけた糸をフック先端部１４の外側端１４ａ方向に一層片寄らせることができる。即ち、かぎ針１０で引き出される糸は、針中心軸Ｌａから離れて位置に引き出される。
【００１８】
本実施形態では、かぎ針１０のフック部１３に引っ掛けた糸Ｓの糸外しが、図２（ａ）に示したように、かぎ針１０のフック部１３に糸Ｓを引っ掛けてルーパーｌの糸引き出し孔ｌｂから引き出され、かぎ針１０を上死点まで上昇した状態では、従来のように、かぎ針１０のフック部１３には糸掛溝が設けられていないので、図２（ｂ）に示したように、かぎ針１０を降下させることによって、糸Ｓはフック部１３の傾斜面１６に沿ってフック先端部１４の外側端１４ａ側に片寄って撓み、糸Ｓが針中心軸Ｌａの線上を避けるように存在することになり、かぎ針１０を降下してもかぎ針１０の先端が糸Ｓを貫通することなく、円錐状突起部１２の先端がルーパーｌの針挿入孔ｌａに挿入される。なお、糸引き出し孔ｌｂはルーパーｌの中心より端に設けられおり、糸Ｓは針中心軸Ｌａ線上を避けるように、糸引き出し孔ｌｂからフック部１３に斜めに引き出されているので、かぎ針１０を降下させても糸Ｓに引っ掛けることがなく、仕上がりの良好な刺繍が可能である。
【００１９】
なお、本実施形態では、傾斜面１６がフック先端部１４の外側端１４ａ方向に傾斜を与えることで、糸をフック先端部１４の外側端１４ａ方向に片寄らせることができるし、さらに、傾斜面１６をフック先端部１４の最先端部方向への傾斜を加えることによって、糸を一層フック先端部１４の外側端１４ａ方向に円滑に移動させて針中心軸Ｌａより片寄らせることができる。無論、傾斜面１６は平面であってもよいし、曲面を形成してもよい。傾斜面１６が曲面であっても、フック部１３に引っ掛かった糸を曲面に沿って針中心軸Ｌａから遠ざけることができ、かぎ針１０を降下させた際にかぎ針１０の先端部が針中心軸Ｌａより片寄った位置に糸Ｓが引き出されており、かぎ針１０の先端部が糸Ｓを貫通することなく、仕上がりの良好な刺繍が可能である。
【００２０】
さらにまた、本実施形態では、かぎ針のフック先端部の先端部の正面から見た横幅を、図４に示した従来のかぎ針よりも広くして、かぎ針を生地から抜く際、フック先端部の先端に生地の引っ掛かりが少なくなるように工夫されている。即ち、従来、フック先端部の外側端の横幅を広くすると、ステッチ幅が狭い場合、糸外しが困難になるが、本実施形態では、従来のかぎ針のように、糸保持部に糸掛溝が形成されておらず、フック部がフック先端部の外側端の横幅を針中心軸側の横幅より狭く、傾斜角度が比較的大きい角度の傾斜面となっており、フック部の糸保持部に引っ掛かった糸が傾斜面に沿ってフック先端部の外側端側に移動し易く、かぎ針を降下させた際にループ状の糸が立ち上がるようにフック先端部から外れるために、針中心軸側のフック先端部の先端部の幅を従来より広くすることが可能であり、糸外しが安定するし、かぎ針が生地に引っ掛かることがなく、刺繍の仕上がりが綺麗になる利点がある。
【００２１】
また、本実施形態では、かぎ針の糸保持部に糸掛溝が形成されていないので、糸の自由度が高く、傾斜面の傾斜角度に応じて糸が円滑に移動して安定するように工夫されており、刺繍のステッチ（針目）の間隔に応じて傾斜面の傾斜角度を調整することも可能であるし、適宜、傾斜面に曲面を設けてかぎ針からの安定した糸外しができるようにすることも可能である。なお、傾斜面の傾斜角度とは、針中心軸方向に傾斜した針中心軸に対する角及び／又は針中心軸に対するフック部の外側端方向の直交線に対し、傾斜した傾斜角である。
【産業上の利用可能性】
【００２２】
本発明の活用例としては、サガラ刺繍に適したかぎ針として利用することができる。
【図面の簡単な説明】
【００２３】
【図１】（ａ）は本発明の一実施形態を示す正面図であり、（ｂ）はその側面図であり、（ｃ）はそのＺ−Ｚ矢視断面図である。
【図２】（ａ）は本実施形態のかぎ針が糸を引き出した状態を示す説明図であり、（ｂ）は本実施形態のかぎ針が僅かに降下した状態を示す説明図である。
【図３】（ａ）は従来のかぎ針の側面図であり、（ｂ）はその側面図である。
【図４】（ａ）は従来の他のかぎ針の正面図であり、（ｂ）はその側面図であり、（ｃ）はそのかぎ針のＸ−Ｘ矢視断面図である。
【図５】（ａ）は従来のかぎ針の糸引き出し状態を示す斜視図であり、（ｂ）はかぎ針が僅かに降下し糸の引っ掛かりを説明する説明図である。
【図６】チェーンステッチの説明図である。
【図７】ループステッチの説明図である。
【符号の説明】
【００２４】
１０  かぎ針
１０ａ  針幹部
１０ｂ  肉薄幹部
１１  底部
１２  円錐状突起部
１３  フック部
１４  フック先端部
１４ａ  外側端
１４ｂ  側面
１５  かぎ目
１６  傾斜面
ｌ  ルーパー
ｌａ  針挿入孔
ｌｂ  糸引き出し孔
【図１】
2008036316.tif 000003
【図２】
2008036316.tif 000004
【図３】
2008036316.tif 000005
【図４】
2008036316.tif 000006
【図５】
2008036316.tif 000007
【図６】
2008036316.tif 000008
【図７】
2008036316.tif 000009